(57)【要約】      （修正有）【課題】専門空調管理者不在のビルや施設において、省エネ温度の設定が徹底されない、エアコン暖房又は冷房運転を開始すると、空調負荷が変化しても業務終了まで連続運転するなど、無駄な電力を使用している場合が多い。【解決手段】居住者が空調運転操作をするビルや施設のエアコン運転操作単位に設置し、屋外温度計３、屋外湿度計４、屋内温度計５、屋内湿度計６、壁掛け構造の表示板２、エアコン制御リレー７、外気冷房制御リレー８及び外気調節アナログ出力９で構成し、設定データの目標温度と、季節毎時刻毎の実測計測値による蓄積データの現在時刻のエアコン停止・最小外気取入時屋内温度上昇値又はエアコン停止・最大外気取入時屋内温度上昇値、若しくは屋外湿度下降値を使用して、空気線図上でエアコン運転方法と外気取入れ方法により空調範囲を設定し、空調知識が少ない居住者でも省エネ空調運転の監視と制御を可能とする省エネ空調監視制御装置１。【選択図】図１
2013083402.tif 000002
【特許請求の範囲】
【請求項１】
居住者が空調運転操作をするビルや施設のエアコン運転操作単位に設置し、屋外温度計と屋外湿度計および屋内温度計と屋内湿度計と壁掛け構造の表示板とエアコン制御リレーと外気冷房制御リレーと外気調節アナログ出力で構成し、エアコンと外気冷房設備を連携制御する外気取入制御を含む省エネ空調制御手段によってエアコン運転時間を最小限にして省エネ空調運転制御を行ない、表示板に温度と湿度の計測値表示と省エネ空調方法予測表示と省エネ空調状態の表示を行い、空調知識が少ない居住者でも省エネ空調運転の監視と制御を可能とすること特徴とする省エネ空調監視制御装置。
【請求項２】
設定データの冬期目標温度およびと中間期目標温度および夏期目標温度と、季節毎時刻毎の実測計測値による蓄積データの現在時刻の「エアコン停止・最小外気取入時屋内温度上昇値（以下α値と称す）」と季節毎時刻毎の実測計測値による蓄積データの現在時刻の「エアコン停止・最大外気取入時屋内温度上昇値（以下β値と称す）」および、「屋外湿度下降値（以下γ値と称す）」を使用して、空気線図上で、エアコン運転方法と、外気取入れ方法による下記（１）から（９）の空調範囲を設定し、周期的に行なう省エネ空調判断では屋外温度・湿度計測値および屋内温度・湿度計測値と屋内目標温度とα値、β値、γ値と「屋内温度予測値＝屋外計測温度−（α値またはγ値）」によって（１）から（９）の中から最適な空調範囲を決定し、エアコンまたは熱源設備に運転または停止制御を、外気取入れ設備に外気取入量制御を行なうことを特徴とする請求項１記載の省エネ空調監視制御装置。
【請求項３】
上記表示板内の温度表示部に形成した最小外気時空調方法指示域は、冬期目標温度、夏期目標温度によって設定した「（１）のエアコン（以降ＡＣと称す）暖房・最小外気取入（以降取入の文字を省略する）」と「（２）ＡＣ停止・最小外気」と、「（３）ＡＣ冷房・最小外気」の範囲に区画し、屋外温度棒グラフ表示に上記α積上げて表示することにより、α値の先頭値が示す空調範囲が外気冷房を中止して最小外気取入にした時の予測省エネ空調範囲であることを居住者が直感的に分かることを特徴とする請求項１または２記載の省エネ空調監視制御装置。
【請求項４】
上記表示板内の温度表示部に形成した外気冷房時空調方法指示域は、冬期目標温度、中間期目標温度、夏期目標温度、および上記α値と上記β値によって設定した「（４）ＡＣ暖房・最小外気」と「（５）ＡＣ停止・外気調節」と、「（６）ＡＣ停止・外気調節」と、「（７）ＡＣ停止・最大外気」と、「（８）ＡＣ冷房・最大外気」と、「（９）ＡＣ冷房・最小外気」の範囲に区画し、屋外温度棒グラフ表示に上記β値を積上げて表示することにより、先頭値が示す空調範囲が外気冷房制御時の予測省エネ空調範囲であることを居住者が直感的に分かることを特徴とする請求項１、２または３記載の省エネ空調監視制御装置。
【請求項５】
上記示板内の湿度表示部に快適湿度指示域と、屋外湿度が屋内に取入れた時に上記α値（℃）上昇し相対湿度が下降する「屋外湿度下降値（以降γ値と称す）」指示域を形成し、γ値指示域を快適湿度指示域の上限湿度の上部に積み上げることにより、上部先端値が外気冷房時の予測「屋外上限湿度」であることを居住者が直感的に分かることを特徴とする請求項１、２、３または４記載の省エネ空調監視制御装置。
【請求項６】
省エネ空調監視制御装置表示板内の省エネ空調状態表示部は、上記（１）から（９）の空調範囲を表示し、周期的に行なう省エネ空調判断結果決定した空調範囲を例えば赤色フリッカまたは連続表示させ、全空調方法の中で現在の省エネ空調範囲の位置付けが直感的に分かるようにすることを特徴とする請求項目１、２、３、４または５記載の省エネ空調監視制御装置。
【発明の詳細な説明】
【技術分野】
【０００１】
本発明は、居住者がエアコン運転操作を行なうビルマルチエアコンやエアコンを設置したビルや施設において、省エネ空調運転を行なうことが出来るようにする、空調監視制御装置に関するものである。
【背景技術】
【０００２】
ビル用マルチエアコンやエアコンを設置したオフイスビルや施設の空調設備は、温度調節を行なうが換気設備が独立して設置されている場合が多く、エアコン運転と連動した外気冷房制御による省エネ空調運転が出来ない。また、空調管理者が常駐しないで居住者がエアコン運転操作を行なうビルや施設では、業務開始時にエアコン運転を開始すると、冷房や暖房が不要な状態になっても業務終了まで無駄な連続運転する。
【発明の概要】
【発明が解決しようとする課題】
【０００３】
現状の問題
【０００４】
居住者がエアコン運転操作を行なうオフイスビルや施設では、居住者が業務開始時にエアコンによる「暖房または冷房」運転を開始すると、ＯＡ機器により屋内温度が上昇しても、外気温度が変化して「暖房または冷房」運転が不要になっても、業務終了まで連続運転される。また、ＯＡ機器などの発熱が多いオフイスでは、冬期・中間期には「外気」で冷房出来るのに「エアコンによる冷房運転」を行なうことが多い。
【０００５】
居住者が自由にエアコンの温度設定が出来るため、省エネのため推奨されている設定温度例えば暖房２０℃冷房２８℃の省エネ温度設定が厳守されない。
【０００６】
問題の原因
【０００７】
ビル用マルチエアコンやエアコンを設置しオフイスビルや施設の空調設備は、温度調節を行なうが換気設備が独立して設置されている場合が多く、エアコン運転と連動した外気冷房制御による厳密な省エネ空調運転が出来ない。また、居住者がエアコンを運転操作する箇所に屋外温度や屋外湿度の監視装置が無いので、エアコン運転が不要の判断が出来ない。
【０００８】
オフイスや各種施設の居住者には空調知識が少なく、正確な省エネ空調運転を行なうことが出来ない。また、居住者が自由にエアコンの温度設定を行なうので、省エネ温度空調運転が徹底されない。
【０００９】
エアコン運転不要時でも、エアコンや熱源の自動停止機能が無く、また屋内温度を設定温度に調節するため自動的に冬期に冷房運転を行い、夏期に暖房運転を行うエアコン設備もある。
【課題を解決するための手段】
【００１０】
装置の概要
【００１１】
本特許の「省エネ空調監視制御装置」は、居室の空調運転操作単位に設置し、居室内に設けた壁掛け構造の省エネ空調監視制御装置表示板と、有線または無線で接続した屋外温度計・湿度計と屋内温度計・湿度計およびエアコン制御リレーと外気冷房制御リレーと外気調節アナログ出力で構成する。上記温度・湿度の計測値と屋内目標温度と本特許の下記α値、β値、γ値を使用して（１）から（９）の空調範囲を設定する。周期的に行なう省エネ空調判断においは、屋内温度として屋内温度計測値の他に「屋外計測温度＋（α値またはβ値）」を使用した屋内温度予測によって最適空調方法を判断し、エアコンまたは熱源機器に対し暖房または停止または冷房のいずれかの制御出力を行い、外気冷房機器に対し最小外気取入または外気量調節または最大外気取入のいずれかの制御出力を行うことにより過暖房・過冷房の防止とエアコン運転不要時の連続運転防止しと外気冷房制御による省エネ運転を行なう。空調表示板内の温度および湿度表示部では計測値と省エネ空調方法の予測表示を行い、省エネ空調状態表示部では現在の空調方法を表示し、音声案内出力では空調方法変更時の変更理由の案内を行なう。以上のことにより空調知識が少ない居住者でも省エネ空調運転の監視制御が出来ることを特徴とする。
【００１２】
空調方法設定と省エネ空調判断
【００１３】
本特許の「省エネ空調監視制御装置」は、「屋内目標温度（冬期・中間期・夏期）」と、「エアコン停止・最小外気取入時屋内温度上昇値（α値）」と、「エアコン停止・最大外気取入時屋内温度上昇値（β値）」および、「屋外湿度下降値（γ値）」を使用して空気線図上で屋外温度と湿度に対する、エアコン運転方法と、外気取入れ方法による９つの空調範囲を設定し、屋外温度・湿度計測値および屋内温度・湿度計測値と屋内目標温度とα値、β値、γ値によって上記９つの中から最適な空調範囲を決定し、エアコンまたは熱源設備に運転停止制御を、外気取入れ設備に外気取入量制御を行なうことを特徴とする。
【００１４】
エアコン停止・最小外気取入時屋内温度上昇値（α値）
【００１５】
エアコン停止・最小外気取入時屋内温度上昇値（α値）（以下α値と称す）は、「エアコン停止・最小外気取入」時に屋内計測温度と屋外計測温度の差を算出した最新の実績値の季節毎の時系列データとして蓄積した数値であり、最小外気取入する場合の空調範囲の設定と省エネ空調判断時に使用し、省エネ空調判断時には屋内計測温度の他に「屋内予測温度＝屋外計測温度＋α値」によって屋内温度を予測して、エアコン暖房または冷房不要判断と停止制御を行なうことを特徴とする。
【００１６】
エアコン停止・最大外気取入時屋内温度上昇値（β値）
【００１７】
エアコン停止・最大外気取入時屋内温度上昇値（β値）（以下β値と称す）は、「ＡＣ停止・最大外気取入」時に屋内計測温度と屋外計測温度の差を算出した最新の実績値の季節毎の時系列データとして蓄積した数値であり、外気湿度が屋外上限湿度以下で外気冷房制御を行なう場合の空調範囲の設定と省エネ空調判断時に使用し、省エネ空調判断時には屋内計測温度の他に「屋内予測温度＝屋外計測温度＋β値」によって屋内温度を予測して、エアコン暖房または冷房不要判断と停止制御を行なうことを特徴とする。
【００１８】
屋外湿度下降値（γ値）
【００１９】
屋外湿度下降値（γ値）（以降γ値と称す）は、外気冷房時に取り入れた外気が上記β値（℃）上昇するために（相対）湿度が下降する値であり、「屋外上限湿度＝屋内上限湿度例えば６０％＋γ値（％）」と屋外計測湿度と比較し外気冷房を実行するか最小外気にするかの判断に使用することを特徴とする。
【００２０】
温度表示
【００２１】
「省エネ空調監視制御装置」表示板上に形成した温度表示部は、並列配置した屋外温度棒グラフ表示と屋内温度棒グラフ表示と、最小外気時空調方法指示域と、外気冷房時空調方法指示域と、屋内目標温度指示域と、屋外温度デジタル表示と、屋内温度デジタル表示と、α値表示と、β値表示と、α値デジタル表示と、β値デジタル表示とで形成し、屋内温度指示域の屋内目標温度値の背景色として冬期目標温度例えば２０℃は例えば暖房色の橙色、中間期目標温度例えば２４℃は例えば快適色の緑色、夏期目標温度例えば２８℃は例えば冷房色の水色に表示時し季節毎の屋内目標温度を明示し、屋内温度目標温度をデータ設定操作で変更時には自動的に更新することを特徴とする。
【００２２】
最小外気時空調方法指示域とα値積み上げ表示
【００２３】
最小外気時空調方法指示域は、屋外湿度が高いため外気冷房を行わず最小外気にする場合に使用し、「（１）エアコン（以降ＡＣと称す）暖房・最小外気取入（以降最小外気と称す）」範囲を暖房色の例えば橙色とし、「（２）ＡＣ停止・最小外気」の範囲を快適色の例えば薄緑色とし、「（３）ＡＣ冷房・最小外気」の範囲を冷房色の例えば水色とし、屋外温度棒グラフ表示にα値を積み上げ表示した先頭値が指す空調範囲が予測最適空調方法であることが直感的に分かるようにすることを特徴とする。
【００２４】
外気冷房時空調方法指示域とβ値積み上げ表示
【００２５】
外気冷房時空調方法指示域は、屋外湿度が屋外上限湿度以下で外気冷房制御が可能な場合に使用し、「（４）ＡＣ暖房・最小外気」範囲を暖房色の例えば橙色とし、「（５）ＡＣ停止・外気取入調節（以降外気調節と称す）」範囲を例えば薄緑色とし、「（６）ＡＣ停止・外気調節」範囲を快適色の例えば緑色とし、「（７）ＡＣ停止・最大外気」範囲を例えば薄緑色とし、「（８）ＡＣ冷房・最大外気」範囲を例えば紫色とし、「（９）ＡＣ冷房・最小外気」範囲を例えば冷房色の水色とし、屋外温度棒グラフ表示にβ値を積み上げ表示した先頭値が指す範囲が予測最適空調方法であることが直感的に分かるようにすることを特徴とする。
【００２６】
湿度表示
【００２７】
「省エネ空調監視制御装置」表示板上に形成した湿度表示は、並列配置した屋外湿度棒グラフ表示と屋内湿度棒グラフ表示と、快適湿度指示域と、γ値指示域と、屋外湿度デジタル表示と、屋内湿度デジタル表示により形成し、快適温度指示域はデータ設定操作による変更時には自動的に更新することを特徴とする。
【００２８】
快適湿度指示域と屋外湿度下降値（γ値）積み上げ表示
【００２９】
上記湿度表示の湿度棒グラフ表示に形成した快適湿度指示域表示は例えば４０％から６０％の範囲を例えば緑色とし、この屋内上限湿度例えば６０％の目盛上部に屋外湿度下降値（γ値）を積み上げた先頭値が外気冷房時の予測「屋外上限湿度」を示し、屋外湿度棒グラフ表示と対比することにより、「外気冷房制御」が可能か中止か直感的に分かることを特徴とする。
【００３０】
省エネ空調状態表示
【００３１】
「省エネ空調監視制御装置」表示板上の省エネ空調状態表示部は、空気線図形式上に「（１）ＡＣ暖房・最小外気」範囲と、「（２）ＡＣ停止・最小外気」範囲と、「（３）ＡＣ冷房・最小外気」範囲と、「（４）ＡＣ暖房・最小外気」範囲と、「（５）ＡＣ停止・外気調節」範囲と、「（６）ＡＣ停止・外気調節」範囲と、「（７）ＡＣ停止・最大外気」範囲と、「（８）ＡＣ冷房・最大外気」範囲と、「（９）ＡＣ冷房・最小外気」範囲を形成し、省エネ空調判断結果該当する範囲を例えば赤色フリッカーまたは連続表示させることにより、省エネ空調方法全体の中で現在の位置付けが直感的に分かるようにしたことを特徴とする。
【００３２】
音声案内出力
【００３３】
本「省エネ空調監視制御装置」の省エネ空調判断と制御は、居住者によるエアコン暖房運転または冷房運転操作と異なった運転を行なう可能性があるため、空調範囲変更時には変更理由を音声出力案内することによって居住者に安心感を与えることを特徴とする。
【発明の効果】
【００３４】
本発明の「省エネ空調監視制御装置」によれば以下のような効果が得られる。
【００３５】
省エネ効果
【００３６】
エアコン暖房、冷房時にはエアコン本体の温度設定に関係なく、本発明の「省エネ空調監視制御装置」の屋内目標温度の冬期目標温度（例えば２０℃）および夏期目標温度（例えば２８℃）によって省エネ空調判断とエアコン運転・停止制御を行うので、過度な温度設定の暖房・冷房運転を防止し、空調技術者が常駐しなくても省エネ運転を図ることが出来る。
【００３７】
暖房または冷房が不要な状態と判断した場合には、エアコンまたは熱源の停止制御を行なうので、無駄な暖房または冷房の連続運転を防止し省エネを図ることが出来る。
【００３８】
外気冷房制御を「（５）ＡＣ停止・外気調節」範囲と、「（６）ＡＣ停止・外気調節」範囲と、「（７）ＡＣ停止・最大外気」範囲と、「（８）ＡＣ冷房・最大外気」範囲と広範囲に厳密に行なうので、熱源を使用する冷房運転が最小限になり省エネを図ることが出来る。
【００３９】
屋内上限湿度以下になるように湿度制御を行なうので、過冷却再熱を行なう除湿によるエネルギー使用を最小限に出来る。
【００４０】
快適性維持効果
【００４１】
屋内上限湿度（例えば６０％）以下になるように制御を行なうので、居室内湿度を快適に保つことが出来る。
【００４２】
「最大外気」で外気冷房中に屋外湿度が高くなり外気冷房を中止し「最小外気」にするような空調負荷急変時には、「屋内予測温度＝屋外計測温度＋α値」の予測値によって最適な空調方法を判断するので、現在の屋内計測温度で空調方法を判断するのに比較し屋内温度の急変動を抑え快適な目標温度を維持出来る。
【００４３】
省力化効果
【００４４】
省エネ空調運転のために、屋外温度・湿度計測と屋内温度・湿度の計測を定期的に行なう必要がなく、また空調運転方法が変更になった場合にもエアコン操作や外気取入れ操作を行なう必要がないので、居住者の省力化になり本来の業務に専念出来る。
【００４５】
安心効果
【００４６】
居住空間のエアコン操作単位に設置した「省エネ空調監視制御装置」表示板内の、「温度表示」と「湿度表示」と空気線図形式上の「省エネ空調状態表示」により、空調空専門知識が少ない居住者でも最適な省エネ空調運転状態が容易に分かり安心感を与える事が出来る。
【００４７】
「省エネ空調監視制御装置」内の音声出力案内により、省エネ空調判断によって空調方法が変更になった場合には、変更理由を音声案内するので居住者に安心感を与える事が出来る。
【図面の簡単な説明】
【００４８】
【図１】図１は本発明の「省エネ空調監視制御装置システム構成図」である。
【図２】図２は本発明の「省エネ空調監視制御装置表示板」の説明図である
【図３】図３は「省エネ空調判断条件概念図（温度による判断）」である。
【図４】図４は「省エネ空調判断条件概念図（湿度による判断）」である。
【発明を実施するための形態】
【００４９】
以下図面によって本発明の実施例を説明する。
【実施例１】
【００５０】
省エネ空調監視制御装置システム構成
【００５１】
本発明においては図１.「省エネ空調監視制御装置システム構成図」に示すシステム１式をビル内居住者空間のエアコン操作単位に設置する。
【００５２】
上記図１．「省エネ空調監視制御装置システム構成図」内の屋外温度計３と屋内温度計５の温度データおよび、屋外湿度計４と屋内湿度計６の湿度データを有線または無線で接続し「省エネ空調監視制御装置」１に入力し、省エネ空調判断を行い、この結果、有線または無線で接続したエアコン制御リレー出力７、外気冷房制御リレー出力８および外気調節アナログ出力９に判断結果の制御出力を行い、「省エネ空調監視制御装置表示板」２内の温度表示部１１、湿度表示部２３、省エネ空調状態表示部３１に計測値と省エネ空調状態を表示し、そして音声案内出力部４４から音声案内の出力を行なう。
【００５３】
エアコン制御リレー出力
【００５４】
上記エアコン制御リレー出力７はエアコンまた熱源機器に対してＯＮ／ＯＦＦ接点によって運転停止の制御を行なうもので、エアコン暖房リレーと、エアコン停止リレーと、エアコン冷房リレーの３種類で形成する。
【００５５】
エアコン暖房リレーは、省エネ空調判断結果空調範囲が「（１）ＡＣ暖房・最小外気」または「（４）ＡＣ暖房・最小外気」の場合にＯＮ接点（閉接点）を出力し、その他の範囲の場合にはＯＦＦ接点（開接点）を出力する。
【００５６】
エアコン停止リレーは、省エネ空調判断結果空調範囲が「（２）ＡＣ停止・最小外気」、「（５）ＡＣ停止・外気調節」、「（６）ＡＣ停止・外気調節」、「（７）ＡＣ停止・最大外気」の場合にＯＮ接点（閉接点）を出力し、その他の範囲の場合にはＯＦＦ接点出力する。
【００５７】
エアコン冷房リレーは、省エネ空調判断結果空調範囲が「（３）ＡＣ冷房・最小外気」、「（８）ＡＣ冷房・最大外気」、「（９）ＡＣ冷房・最小外気」の場合にＯＮ接点（閉接点）を出力し、その他の空調範囲の場合にはＯＦＦ接点（開接点）を出力する。
【００５８】
外気冷房リレー８は、外気ダンパー、窓などの全開／全閉制御、換気扇の運転／停止制御のようにＯＮ／ＯＦＦ２位置制御する設備を制御対象とし、省エネ空調判断結果空調範囲が「（６）ＡＣ停止・外気調節」「（７）ＡＣ停止・最大外気」「（８）ＡＣ冷房・最大外気」範囲の場合にＯＮ接点出力し、その他の範囲の場合にはＯＦＦ接点出力する。
【００５９】
外気調節アナログ出力９は、外気ダンパー、窓、扉などの開度または換気ファンの風量を０〜１００％制御できる設備を対象とし、アナログ出力例えば抵抗値変化０〜１２５Ωを外気取入れ量０％〜１００％に対応させて出力し外気取入れ量を調節し、省エネ空調判断結果の全空調範囲に対し指定されたアナログ量の出力を行なう。空調方法が「（１）ＡＣ暖房・最小外気」「（２）ＡＣ停止・最小外気」「（３）ＡＣ冷房・最小外気」、「（４）ＡＣ暖房・最小外気」「（９）ＡＣ冷房・最小外気」範囲の場合には衛生管理上の最小限の換気のために最小開度例えば１５％にし、空調方法が「（５）ＡＣ停止・外気調節」「（６）ＡＣ停止・外気調節」範囲の場合には屋内計測温度が季節毎の屋内（室内）目標温度になるようにアナログ出力を変化させてフイードバック制御を行ない、また空調方法が「（７）ＡＣ停止・最大外気」「（８）ＡＣ冷房・最大外気」範囲の場合は最大外気取入れのために１００％出力する。
【実施例２】
【００６０】
省エネ空調監視制御装置表示板
【００６１】
本発明においては図２．「省エネ空調監視制御装置表示板」２に示すように、表示板内には温度表示部１１、湿度表示部２３、省エネ空調状態表示部３１及び操作部４１を形成する。
【００６２】
温度表示部
【００６３】
温度表示部１１は、並列配置した屋外（外気）温度棒グラフ表示１２と屋内（室内）温度棒グラフ表示１４と、屋外温度デジタル表示１３と、屋内温度デジタル表示１５と、最小外気時空調方法指示域１６と、外気冷房（制御）時空調方法指示域１７と、α値表示と１８と、β値表示２０と、α値デジタル表示１９と、β値デジタル表示２１と、屋内目標温度指示値２２で形成する。
【００６４】
上記屋内目標温度指示値２２は、屋内目標温度値の背景色として冬期目標温度例えば２０℃は暖房色の例えば橙色、中間期目標温度例えば２４℃は快適色の例えば緑色、夏期目標温度例えば２８℃は例えば冷房色の例えば水色に表示時し季節毎の屋内目標温度を明示する。
【００６５】
温度表示部１１内の、互いに平行して上下に伸びる屋外温度棒グラフ表示１２と屋内温度棒グラフ表示１４と、屋外温度デジタル表示１３と、屋内温度デジタル表示１５は、表示の値を夫々対応した計測値に応じて変化させる。また屋外温度棒グラフ表示１２を例えば青色とし、屋内棒グラフ表示１４を例えば赤色とする。
【００６６】
最小外気時空調方法指示域
【００６７】
温度表示部１１内の最小外気時空調方法指示域１６は「（１）ＡＣ暖房・最小外気」範囲と、「（２）ＡＣ停止・最小外気」範囲と、「（３）ＡＣ冷房・最小外気」範囲の空調方法に区画し、屋外温度棒グラフ表示１２にα値１８を積上げ表示した先頭値が位置する範囲が、屋外湿度が高いために外気冷房を中止した「最小外気」時の最適空調方法であることを居住者が直感的に分かるようにする。
【００６８】
「（１）ＡＣ暖房・最小外気」範囲は次式の通りで、暖房色の例えば橙色とする。「（１）ＡＣ暖房・最小外気」範囲≦「冬期目標温度（例えば２０℃）」
【００６９】
「（２）ＡＣ停止・最小外気」範囲は次式の通りで、快適色の例えば薄緑色とする。「冬期目標温度（例えば２０℃）」＜「（２）ＡＣ停止・最小外気」範囲および「（２）ＡＣ停止・最小外気」範囲≦「夏期目標温度（例えば２８℃）」
【００７０】
「（３）ＡＣ冷房・最小外気」範囲は次式の通りで、冷房色の例えば水色とする。「夏期目標温度（例えば２８℃）」＜「（３）ＡＣ冷房・最小外気」範囲
【００７１】
上記、冬期目標温度と夏期目標温度は、設定データ変更によって自動的に更新する。
【００７２】
外気冷房時空調方法指示域
【００７３】
温度表示部１１内の外気冷房時空調方法指示域１７は、「（４）ＡＣ暖房・最小外気」範囲と「（５）ＡＣ停止・外気調節」範囲と、「（６）ＡＣ停止・外気調節」範囲と、「（７）ＡＣ停止・最大外気」範囲と、「（８）ＡＣ冷房・最大外気」範囲と、「（９）ＡＣ冷房・最小外気」空調方法に区画し、屋外温度棒グラフ表示１２にβ値２０を積上げ表示した先頭値が位置する範囲が、外気冷房制御時の最適空調方法であることを居住者が直感的に分かるようにする。
【００７４】
「（４）ＡＣ暖房・最小外気」範囲は次式の通りで、暖房色の例えば橙色とする。「（４）ＡＣ暖房・最小外気」範囲≦「冬期目標温度（例えば２０℃）−（α値−β値）」
【００７５】
「（５）ＡＣ停止・外気調節」範囲は、暖房を停止して屋内温度を冬期目標温度（例えば２０℃）にするために、外気取入れ量を最小外気から最大外気に調節する範囲であり、次式の通りで例えば薄緑色とする。「冬期目標温度（例えば２０℃）−（α値−β値）（℃）＜「（５）ＡＣ停止・外気調節」範囲および「（５）ＡＣ停止・外気調節」範囲≦「冬期目標温度（例えば２０℃）」
【００７６】
「（６）ＡＣ停止・外気調節」範囲は、屋内温度が暖房停止・最大外気時に冬期目標温度例えば２０℃以上で、かつ外気取入れ量調節によって中間期屋内目標温度例えば２４℃以下にする範囲であり、次式の通りで快適色の例えば緑色とする。「冬期目標温度（例えば２０℃）」＜「（６）ＡＣ停止・外気調節」範囲および「（６）ＡＣ停止・外気調節」範囲≦「中間期目標温度（例えば２４℃）」
【００７７】
「（７）ＡＣ停止・最大外気」範囲は次式の通りで、例えば薄緑色とする。「中間期目標温度（例えば２４℃）」＜「（７）ＡＣ停止・最大外気」範囲および「（７）ＡＣ停止・最大外気」範囲≦「夏期目標温度（例えば２８℃）」
【００７８】
「（８）ＡＣ冷房・最大外気（取入）」範囲は次式の通りで、例えば紫色とする。「夏期目標温度（例えば２８℃）」＜「（８）ＡＣ冷房・最大外気」範囲および「（８）ＡＣ冷房・最大外気」範囲≦「夏期目標温度（例えば２８℃）+β値（℃）」
【００７９】
「（９）ＡＣ冷房・最小外気（取入）」範囲は次式の通りで、例えば冷房色の水色とする。「夏期目標温度（例えば２８℃）＋β値（℃）」＜「（９）ＡＣ冷房・最小外気」範囲
【００８０】
上記、冬期目標温度、夏期目標温度、中間期目標温度の表示は、設定データ変更によって自動的に更新する。
【００８１】
外気冷房制御時空調方法指示域１７内の「（７）ＡＣ暖房・最小外気（取入）」から「（９）ＡＣ冷房・最小外気（取入）」までの各範囲の表示は、省エネ空調判断時に該当時刻毎のα値、β値に応じ自動的に更新する。また、α値、β値が変更された場合にも自動的に更新する。
【００８２】
湿度表示
【００８３】
図２．「省エネ空調監視制御装置表示板」２に示すように、表示板２内には湿度表示部２３を形成する。
【００８４】
上記湿度表示２３は、互いに平行して上下に伸びる屋外湿度棒グラフ表示２４と屋内湿度棒グラフ表示２６と、快適湿度指示域２８と、屋外湿度下降値（γ値）２９と、屋外湿度デジタル表示２５と、屋内湿度デジタル表示２７と、γ値デジタル表示３０により形成し、屋外湿度棒グラフ表示２４と屋内湿度棒グラフ表示２６と、屋外湿度デジタル表示２５と、屋内湿度デジタル表示２７は、屋外湿度計と屋内湿度計の計測値により、表示の値を夫々変化させる。
【００８５】
上記湿度表示２３内の快適湿度指示域２８は、例えば４０％から６０％を快適湿度範囲として例えば緑色として快適湿度帯を明確にし、屋内湿度棒グラフ表示２６との対比によって快適状態か容易に分かるようにする。
【００８６】
上記湿度表示２３内γ値２９は、外気取入れ時に温度上昇して屋外湿度が降下する値であり、γ値２９を例えば黄色で表示し快適湿度指示域２８の上限湿度例えば６０％上部に積上げて表示することにより、先頭値を示す値が外気取入れ時の「屋外上限湿度」を示すことになり、屋外湿度棒グラフ表示２４と比較することにより、屋内湿度を快適に保つために外気冷房を行なうか外気冷房中止するか直感的に判断出来るようにする。
【００８７】
快適湿度指示域２８は、データ設定変更により自動的に更新され、またγ値２９、３０はβ値の更新時に自動的に更新する。
【００８８】
棒グラフ１２、１４、２４、２６は上下に伸びる代わり、水平に伸びるようにしても良い。
【００８９】
空気線図上での省エネ空調状態表示
【００９０】
図２．「省エネ空調監視制御装置表示板」２に示すように、表示板内には省エネ空調状態表示部３１を形成する。
【００９１】
省エネ空調状態表示３１は、空気線図形式状の中に「（１）ＡＣ暖房・最小外気」範囲３２と「（２）ＡＣ停止・最小外気」範囲３３と、「（３）ＡＣ冷房・最小外気」範囲３４と、「（４）ＡＣ暖房・最小外気」範囲３５と「（５）ＡＣ停止・外気調節」範囲３６と、「（６）ＡＣ停止・外気調節」範囲３７と「（７）ＡＣ停止・最大外気」範囲３８と、「（８）ＡＣ冷房・最大外気」範囲３９と、「（９）ＡＣ冷房・最小外気」範囲４０に区画表示し、省エネ空調判断結果の決定した空調範囲を例えば赤色フリッカ表示または赤色連続表示させて、居住者に省エネ空調方法全体の内現在どの状態で空調運転中か位置付けが直感的に分かるようにする。
【００９２】
音声案内出力
【００９３】
図２．「省エネ空調監視制御装置表示板」２内に形成した音声案内出力部４４は、省エネ空調判断結果これまでと異なる空調方法に変化した場合、その理由を音声案内出力で知らせ居住者に安心感を与える。なお、音声出力が必要ない場合には、「データ設定」操作で音声案内出力機能を無効にさせることが出来るようにする。
【実施例３】
【００９４】
省エネ空調判断
【００９５】
図３．「省エネ空調判断条件概念図（温度による判断）」、及び図４．「省エネ空調判断条件概念図（湿度による判断）」に示す方法によって省エネ空調判断を行なう。
【００９６】
図３内に示す通り、空気線図形式の図の中に「（１）ＡＣ暖房・最小外気」「（２）ＡＣ停止・最小外気」「（３）ＡＣ冷房・最小外気」「（４）ＡＣ暖房・最小外気」「（５）ＡＣ停止・外気調節」「（６）ＡＣ停止・外気調節」「（７）ＡＣ停止・最大外気」「（８）ＡＣ冷房・最大外気」「（９）ＡＣ冷房・最小外気」の空調範囲を設定し、省エネ空調判断によってこの空調範囲の中から最適な省エネ空調方法を選択する。
【００９７】
省エネ空調判断の前提条件
【００９８】
図３内１．１省エネ空調判断方法の説明のために、例えば次の具体的な前提条件を設定する。
【００９９】
屋内（室内）目標温度・屋内（室内）快適湿度
【０１００】
本装置の省エネ空調監視制御の目標値として、季節毎の屋内目標温度と期間および、快適湿度の上下限値を持つ。「冬期屋内目標温度」：例えば２０℃、１２月１日〜２月２８日で、「中間期屋内目標温度」：例えば２４℃、冬期、夏期以外の月日「夏期屋内目標温度」：例えば２８℃、６月１日〜８月３１日。「快適湿度上限値」：「屋内上限湿度」例えば６０％を使用する。「快適湿度下限値」：例えば４０％。
【０１０１】
屋内目標温度、快適湿度に伴う制御関連データ
【０１０２】
「暖房運転温度」：「冬期目標温度」例えば２０℃を使用する。「暖房停止温度」：暖房停止制御のハンチング防止用温度、例えば２１℃。「冷房停止温度」：冷房停止制御のハンチング防止用温度、例えば２７℃。「冷房運転温度」：「夏期目標温度」例えば２８℃を使用する。「外気冷房開始温度」：屋外計測温度＝「冷房停止温度」例えば２７℃を使用する。「外気冷房停止温度」：屋外計測温度＝「夏期目標温度」例えば２８℃を使用する。「最小外気時屋内温度上昇値（α値）：例えば７℃、詳細は以下に記す。「最大外気時屋内温度上昇値（β値）：例えば４℃、詳細は以下に記す。「屋外湿度下降値（γ値）：省エネ空調判断時の計算で決定、詳細は以下に記す。「省エネ空調判断周期」：例えば５分。上記「屋内目標温度」および屋内目標温度に伴う制御関連データは「データ設定」操作で任意に変更できるので、本「省エネ空調監視制御装置」をビルや施設の他に多様な用途の空調監視制御に応用することが出来る。
【０１０３】
α値
【０１０４】
α値は、「ＡＣ停止・最小外気」状態時の屋内温度と屋外温度の温度差であり、次の式で求める。なお、最小外気とは衛生管理上の最小換気量である。「α値（℃）＝屋内計測温度（℃）−屋外計測温度（℃）」
【０１０５】
α値は、空調範囲の設定と、最小外気時の省エネ空調判断時に屋内計測温度の他に「屋内予測温度＝屋外計測温度＋α値」の式で屋内温度の予測判断に使用し、暖房・冷房停止判断や、最大外気から最小外気への空調範囲の変更のような空調負荷急変時の屋内温度の制御応答速度の向上ならびに、温度表示部においては最小外気取入れ時の空調範囲を直感的に判断できるようにするための指標として使用する。
【０１０６】
暖房運転を開始後、熱負荷変動により暖房運転が不要になった場合には通常は暖房運転を継続するが、暖房運転中にα値を使用した次式の場合は暖房停止と予測判断し「ＡＣ停止」制御を行って省エネ運転を図る。「暖房停止温度（例えば２１℃）≦屋外計測温度（℃）＋α値（℃）」
【０１０７】
α値は、日射、人員変動、ＯＡ機器の使用量などで時刻によって異なるので、例えば０時から２４時まで３時間毎の８つの時系列データを持つ。なお、厳密な判断を行うためにはα値は時間間隔を短縮してより多くのデータを設定すれば良い。
【０１０８】
α値は、データ設定機能の「α値設定」操作を行なうことにより、省エネ空調判断時に時系列データ時刻内の指定時刻に強制的に「（２）エアコン停止・最小外気」状態にして、次の周期の省エネ空調判断時に上記α値（℃）を算出して更新させることが出来る。さらに、α値を最新の実態に合った値に維持するため、省エネ空調判断時に、「（２）ＡＣ停止・最小外気」範囲中だった場合、α値を上記計算式で算出し該当時刻データを更新する。
【０１０９】
α値は、季節によっても異なるので、時系列データは冬期、中間期、夏期の３種類持ち、屋内目標温度の季節の変わり目に上記と同様に「α値設定」操作によって該当時刻のα値を最新の実態に合った値に更新させることができる。
【０１１０】
β値
【０１１１】
β値は、「ＡＣ停止・最大外気」状態時の屋内温度と屋外温度の温度差であり、次の式で求める。なお、最大外気とは最大外気取入れ量である。「β値（℃）＝屋内計測温度（℃）−屋外計測温度（℃）」
【０１１２】
β値は、上記空調方法の設定と外気冷房制御を行なう場合の省エネ空調判断時の最適空調方法の予測判断に使用し、冷房運転停止判断や、空調方法変更時の屋内温度を屋内目標温度への制御応答速度の向上ならびに、温度表示部においては、外気冷房（制御）時の最適な空調方法を直感的に判断できるようにするための指標として使用する。β値は、空調範囲の設定と、最大外気時の省エネ空調判断時に屋内計測温度の他に「屋内予測温度＝屋外計測温度＋α値」の式で屋内温度の予測判断に使用し、冷房停止判断や、最小外気から最大外気への空調範囲の変更のような空調負荷急変時の屋内温度の制御応答速度の向上ならびに、温度表示部においては外気冷房（制御）時の空調範囲を直感的に判断できるようにするための指標として使用する。
【０１１３】
冷房運転を開始後、熱負荷変動により冷房運転が不要になった場合、通常は冷房運転を継続するが、冷房運転中にβ値を使用した次式の場合は「冷房停止」と予測判断し「ＡＣ停止制御」を行なって省エネ運転を図る。「屋外計測温度（℃）＋β（℃）」≦「冷房停止温度（例えば２７℃）」
【０１１４】
β値は、日射、人員変動、ＯＡ機器の使用量などで時刻によって異なるので、例えば０時から２４時まで３時間毎の８つの時系列データを持つ。なお、厳密な判断を行うためにはβ値は時間間隔を短縮してより多くのデータを設定すれば良い。
【０１１５】
β値は、データ設定機能の「β値設定」操作を行なうことにより、省エネ空調判断時に時系列データ時刻内の指定時刻に強制的に「（７）エアコン停止・最大外気（取入）」状態にして、次の周期の省エネ空調判断時に上記β値（℃）を更新させることが出来る。β値を最新の実態に合った値に維持するため、省エネ空調判断時に、「（７）ＡＣ停止・最大外気」範囲中だった場合、β値を上記計算式で算出し該当時刻データを更新する。
【０１１６】
β値は、季節によっても異なるので、時系列データは冬期、中間期、夏期の３種類持ち、屋内目標温度の季節の変わり目に上記と同様に「β値設定」操作によって該当時刻のβ値を最新の実態に合った値に更新させることができる。
【０１１７】
最小外気（高湿度）時の省エネ判断
【０１１８】
図３内「１．２．最小外気（高湿度時）の省エネ判断」は、図４内「２．湿度による省エネ空調判断」によって屋外湿度が屋外上限湿度以上で外気冷房を中止と判断した場合には、「（１）ＡＣ暖房・最小外気」「（２）ＡＣ暖房・最小外気」「（３）ＡＣ冷房・最小外気」の空調方法のいずれかを温度によって判断する。
【０１１９】
「（１）ＡＣ暖房・最小外気」の判断
【０１２０】
「屋内計測温度（℃）」≦「冬期目標温度（例えば２０℃）」または「屋外計測温度（℃）＋α（℃）」≦「冬期目標温度（例えば２０℃）」
【０１２１】
「（１）ＡＣ暖房・最小外気」中から「（２）ＡＣ停止・最小外気」への変更判断
【０１２２】
「暖房停止温度（例えば２１℃）」≦「屋内計測温度（℃）」または「暖房停止温度（例えば２１℃）」≦「屋外計測温度（℃）＋α（℃）」
【０１２３】
「（２）ＡＣ停止・最小外気」の判断
【０１２４】
「冬期目標温度（例えば２０℃）」＜「屋内計測温度（℃）」または「冬期目標温度（例えば２０℃）」＜「屋外計測温度（℃）＋α（℃）」および「屋内計測温度（℃）」≦「夏期目標温度（例えば２８℃）」または「屋外計測温度（℃）＋α（℃）」≦「夏期目標温度（例えば２８℃）」「（２）ＡＣ停止・最小外気」が継続している場合には、α値を計算し該当時間帯のα値を更新する。
【０１２５】
「（２）ＡＣ停止・最小外気」中から「（１）ＡＣ暖房・最小外気」への変更判断
【０１２６】
「屋内計測温度（℃）」≦「冬期目標温度（例えば２０℃）」このとき、α値を計算し該当時間帯のα値を更新する。
【０１２７】
「（２）ＡＣ停止・最小外気」中「（３）ＡＣ冷房・最小外気」への変更判断
【０１２８】
「夏期目標温度（例えば２８℃）」＜「屋内計測温度（℃）」このとき、α値を計算し該当時間帯のα値を更新する。
【０１２９】
「（３）ＡＣ冷房・最小外気」の判断
【０１３０】
「夏期目標温度（例えば２８℃）」＜「屋内計測温度（℃）」または「夏期目標温度（例えば２８℃）」＜「屋外計測温度（℃）＋α（℃）」
【０１３１】
「（３）ＡＣ冷房・最小外気」中から「（２）冷房停止・最小外気」への変更判断
【０１３２】
「屋内計測温度（℃）」≦「冷房停止温度（例えば２７℃）」または「屋外計測温度（℃）＋α（℃）」≦「冷房停止温度（例えば２７℃）」
【０１３３】
外気冷房（制御）時の省エネ判断
【０１３４】
図３「１．３．外気冷房（制御）時の空調範囲は、図４内「２．湿度による省エネ空調判断」によって屋外湿度が屋外上限湿度以下と判断された場合に、「（４）ＡＣ暖房・最小外気」「（５）ＡＣ停止・外気調整」「（６）ＡＣ停止・外気調整」「（７）ＡＣ停止・最大外気」「（８）ＡＣ冷房・最大外気」「（９）ＡＣ冷房・最大外気」の空調範囲のいずれかを温度によって判断する。
【０１３５】
「（４）ＡＣ暖房・最小外気」の判断
【０１３６】
「屋内計測温度（℃）」≦「冬期目標温度（例えば２０℃）」または「屋外計測温度（℃）＋α値(℃）」≦「冬期目標温度（例えば２０℃）」
【０１３７】
「（４）ＡＣ暖房・最小外気」中から「（５）ＡＣ停止・外気調節」への変更判断
【０１３８】
「暖房停止温度（例えば２１℃）」＜「屋内計測温度（℃）」または「暖房停止温度（例えば２１℃）」＜「屋外計測温度（℃）＋α（℃）」
【０１３９】
「（５）ＡＣ停止・外気調節」の判断
【０１４０】
「冬期目標温度（例えば２０℃）」＜「屋内計測温度（℃）」または「冬期目標温度（例えば２０℃）」＜「屋外計測温度（℃）＋α（℃）」および「屋外計測温度（℃）＋β（℃）」≦「冬期目標温度（例えば２０℃）」
【０１４１】
「（５）ＡＣ停止・外気調節」中から「（４）ＡＣ暖房・最小外気」への変更判断
【０１４２】
「屋内計測温度（℃）」≦「冬期目標温度（例えば２０℃）」このとき、α値を計算し該当時間帯のα値を更新する。
【０１４３】
「（５）ＡＣ停止・外気調節」中から「（６）ＡＣ停止・外気調節」への変更判断
【０１４４】
「暖房停止温度（例えば２１℃）」≦「屋外計測温度（℃）＋β（℃）」
【０１４５】
「（６）ＡＣ停止・外気調節」の判断
【０１４６】
「冬期目標温度（例えば２０℃）」＜「屋外計測温度（℃）＋β（℃）」および「屋外計測温度（℃）＋β（℃）」≦「中間期目標温度（例えば２４℃）」
【０１４７】
「（６）ＡＣ停止・外気調節」中から「（５）ＡＣ停止・外気調節」への変更判断
【０１４８】
「屋内計測温度（℃）」＜「冬期目標温度（例えば２０℃）」または「屋外計測温度（℃）＋β（℃）」≦「冬期目標温度（例えば２０℃）」
【０１４９】
「（６）ＡＣ停止・外気調節」中から「（７）ＡＣ停止・最大外気」への変更判断
【０１５０】
「中間期目標温度（例えば２４℃）」＜「屋内計測温度（℃）」または「中間期目標温度（例えば２４℃）」≦「屋外計測温度（℃）＋β（℃）」
【０１５１】
「（７）ＡＣ停止・最大外気」の判断
【０１５２】
「中間期目標温度（例えば２４℃）」＜「屋外計測温度（℃）＋β（℃）」および「屋外計測温度（℃）＋β（℃）」≦「夏期目標温度（例えば２８℃）」前回も同じ空調範囲の場合にはβ値を計算し該当時間帯のβ値を更新する。
【０１５３】
「（７）ＡＣ停止・最大外気」中から「（６）ＡＣ停止・外気調節」への変更判断
【０１５４】
「屋内計測温度（℃）」＜「中間期目標温度（例えば２４℃）」このとき、β値を計算し該当時間帯のβ値を更新する。
【０１５５】
「（７）ＡＣ停止・最大外気」中から「（８）ＡＣ冷房・最大外気」への変更判断
【０１５６】
「夏期目標温度（例えば２８℃）」＜「屋内計測温度（℃）」このとき、β値を計算し該当時間帯のβ値を更新する。
【０１５７】
「（８）ＡＣ冷房・最大外気」の判断
【０１５８】
「夏期目標温度（例えば２８℃）」＜「屋内計測温度（℃）」および「屋外計測温度（℃）」≦「夏期目標温度（例えば２８℃）」
【０１５９】
「（８）ＡＣ冷房・最大外気」中から「（７）ＡＣ停止・最大外気」への変更判断
【０１６０】
「屋内計測温度（℃）」＜「冷房停止温度（例えば２７℃）」または「屋外計測温度（℃）＋β（℃）」≦「冷房停止温度（例えば２７℃）」
【０１６１】
「（８）ＡＣ冷房・最大外気」中から「（９）ＡＣ冷房・最小外気」への変更判断
【０１６２】
「夏期目標温度（例えば２８℃）」≦「屋外計測温度（℃）」
【０１６３】
「（９）ＡＣ冷房・最小外気」の判断
【０１６４】
「夏期目標温度（例えば２８℃）」＜「屋外計測温度（℃）」
【０１６５】
「（９）ＡＣ冷房・最小外気」中から「（８）ＡＣ冷房・最大外気」への変更判断
【０１６６】
「屋外計測温度（℃）」≦「冷房停止温度（例えば２７℃）」
【０１６７】
湿度による判断条件
【０１６８】
図４．「省エネ空調判断条件概念図（湿度による判断）」内、「２．湿度による省エネ空調判断」に屋外湿度によって外気冷房を実行するか中止するかの判断条件を示す。
【０１６９】
本「省エネ空調監視制御装置」は、徹底した外気冷房制御によって省エネをおこなうが、屋外湿度が高いときには屋内湿度の快適を損なうか除湿エネルギーを使用するため、「屋内上限湿度」を例えば６０％に設定し、外気冷房時にこの湿度を越えないように外気冷房実行するか外気冷房を中止するかの判断を行なう。屋外湿度が「屋外上限湿度」を越えると判断した場合には、前記図３．「１．２最小外気（高湿度）時の判断」を行なう。屋外湿度が「屋外上限湿度」以下の場合には前記図３．「１．３外気冷房（制御）時の判断」を行なう。
【０１７０】
γ値
【０１７１】
「外気冷房」判断は一般的にはエンタルピー計算や露点温度計を使用して判断するが、本特許では湿度計の計測値を使用して行なうためのの指標としてγ値を使用する。
【０１７２】
図４内の「２．１．屋外湿度下降値（以降γ値称す）」は、外気取入れによりβ値（℃）屋内温度が上昇するために（相対）湿度が下降する値であり次の方法で求める。空気線図上の温度に対する飽和曲線上の絶対湿度（ｋｇ／ｋｇ）の値を数表として格納しておき、屋外温度ｔ１の飽和絶対湿度をｘ１（ｋｇ／ｋｇ）、β（℃）温度上昇した温度ｔ２（℃）の飽和絶対湿度をｘ２（ｋｇ／ｋｇ）の場合。例えば「屋内上限湿度」を６０％とした場合には次の式で求める。屋外湿度下降値γ（％）＝（ｘ２−ｘ1）（ｋｇ／ｋｇ）×６０％÷ｘ２（ｋｇ／ｋｇ）「屋内上限湿度」を設定変更した場合には、変更した湿度を代入すればよい。
【０１７３】
図４内「２．２．湿度による外気冷房中止と外気冷房復帰空調判断」において、屋内湿度を快適湿度の上限値例えば６０（％）以下に保つため、省エネ空調判断時に、次式の条件の場合は外気冷房可能と判断する。「屋外計測湿度（％）」≦「屋内上限湿度（例えば６０％）＋γ値（％）」
【０１７４】
省エネ空調判断時に次式の条件の場合には、外気冷房を中止と判断する。「屋内上限湿度（例えば６０％）＋γ値（％）」＜「屋外計測湿度（％）」
【０１７５】
外気冷房を中止から外気冷房への復帰判断は、制御のハンチングを防止するため省エネ空調判断時に次式の条件で行なう。「屋外計測湿度（％）」＜「外気冷房復帰湿度（例えば５５％）＋γ値（％）」
【実施例４】
【０１７６】
省エネ空調判断結果の空調状態表示、エアコンと外気冷房制御出力、音声案内出力
【０１７７】
「（１）ＡＣ暖房・最小外気」判断時
【０１７８】
１）空調状態表示、エアコン・外気制御出力（以降「（１）ＡＣ暖房・最小外気」空調範囲表示・制御と称す）
（あ）空調状態表示出力：「（１）ＡＣ暖房・最小外気」空調範囲を例えば赤色フリッカー表示（以降の省エネ空調判断で同じ空調方法継続の場合は連続表示）し、その他の空調範囲を例えば灰色表示する。
（い）エアコン制御出力：「エアコン暖房」にＯＮ出力し、「エアコン停止」にＯＦＦ出力し、「エアコン冷房」にＯＦＦ出力する。
（う）外気冷房制御リレー出力：「外気冷房」にＯＦＦ出力する。
（え）外気調節アナログ出力：アナログ出力値を最小（例えば１５％）にし、「外気調節フイードバック制御」を停止する。
【０１７９】
２）音声案内出力
例えば、「気温が低いので暖房運転をします。」
【０１８０】
「（２）ＡＣ停止・最小外気」判断時
【０１８１】
１）空調状態表示、エアコン・外気制御出力
（以降「（２）ＡＣ停止・最小外気」空調範囲表示・制御と称す）
（あ）空調状態表示出力：「（２）ＡＣ停止・最小外気」空調範囲を例えば赤色フリッカー表示（以降の省エネ空調判断で同じ空調方法継続の場合は連続表示）し、その他の空調範囲を例えば灰色表示する。
（い）エアコン制御出力：「エアコン暖房」にＯＦＦ出力し、「エアコン停止」にＯＮ出力し、「エアコン冷房」にＯＦＦ出力する。
（う）外気冷房制御リレー出力：「外気冷房」にＯＦＦ出力する。
（え）外気調節アナログ出力：アナログ出力値を最小（例えば１５％）にし、「外気調節フイードバック制御」を停止する。
【０１８２】
２）音声案内出力
例えば、「適温ですから冷暖房運転をしません、外気湿度が高いので外気冷房も行いません。」
【０１８３】
「（３）ＡＣ冷房・最小外気」判断時
【０１８４】
１）空調状態表示、エアコン・外気制御出力（以降「（３）ＡＣ冷房・最小外気」空調範囲表示・制御と称す）
（あ）空調状態表示出力：「（３）ＡＣ冷房・最小外気」空調範囲を例えば赤色フリッカー表示（以降の省エネ空調判断で同じ空調方法継続の場合は連続表示）し、その他の空調範囲を例えば灰色表示する。
（い）エアコン制御出力：「エアコン暖房」にＯＦＦ出力し、「エアコン停止」にＯＦＦ出力し、「エアコン冷房」にＯＮ出力する。
（う）外気冷房制御リレー出力：「外気冷房」にＯＦＦ出力する。
（え）外気調節アナログ出力：アナログ出力値を最小（例えば１５％）にし、「外気調節フイードバック制御」を停止する。
【０１８５】
２）音声案内出力
例えば、「気温が高いので冷房運転をして、外気湿度が高いので外気冷房は行いません。」
【０１８６】
「（４）ＡＣ暖房・最小外気」判断時
【０１８７】
空調状態表示、エアコンと外気制御出力
（以降「（４）ＡＣ暖房・最小外気」空調範囲表示・制御と称す）
（あ）空調状態表示出力：「（４）ＡＣ暖房・最小外気」空調範囲を例えば赤色フリッカー表示（以降の省エネ空調判断で同じ空調方法継続の場合は連続表示）し、その他の空調範囲を例えば灰色表示する。
（い）エアコン制御リレー出力：「エアコン暖房」にＯＮ出力し、「エアコン停止」にＯＦＦ出力し、「エアコン冷房」にＯＦＦ出力する。
（う）外気冷房制御リレー出力：「外気冷房」にＯＦＦ出力する。
（え）外気調節アナログ出力：アナログ出力値を最小（例えば１５％）にし、「外気調節フイードバック制御」を停止する。
【０１８８】
２）音声案内出力
例えば、「気温が低いので暖房運転を行います。」
【０１８９】
「（５）ＡＣ停止・外気調節」判断時
【０１９０】
１）空調状態表示、エアコン・外気制御出力
（以降「（５）ＡＣ停止・外気調節」空調範囲表示・制御と称す）
（あ）空調状態表示出力：「（５）ＡＣ停止・外気調節」空調範囲を例えば赤色フリッカー表示（以降の省エネ空調判断で同じ空調方法継続の場合は連続表示）し、その他の空調範囲を例えば灰色表示する。
（い）エアコン制御リレー出力：「エアコン暖房」にＯＦＦ出力し、「エアコン停止」にＯＮ出力し、「エアコン冷房」にＯＦＦ出力する。
（う）外気冷房制御リレー出力：「外気冷房」にＯＦＦ出力する。
（え）外気調節アナログ出力：アナログ出力値を現在の値から屋内温度が屋内目標温度になるように「外気調節フイードバック制御」を行なう。
【０１９１】
２）音声案内出力
例えば、外気調節の場合「適正温度ですから暖房運転をしないで、外気調節で外気冷房を行います。」外気全開／全閉制御の場合「適温ですから暖房も外気冷房も行ないません。」
【０１９２】
「（６）ＡＣ停止・外気調節」判断時
【０１９３】
空調状態表示、エアコン・外気制御出力
（以降「（６）ＡＣ停止・外気調節」空調範囲表示・制御と称す）
（あ）空調状態表示出力：「（６）ＡＣ停止・外気調節」空調範囲を例えば赤色フリッカー表示（以降の省エネ空調判断で同じ空調方法継続の場合は連続表示）し、その他の空調範囲を例えば灰色表示する。
（い）エアコン制御リレー出力：「エアコン暖房」にＯＦＦ出力し、「エアコン停止」にＯＮ出力し、「エアコン冷房」にＯＦＦ出力する。
（う）外気冷房制御リレー出力：「外気冷房」にＯＮ出力する。
（え）外気調節アナログ出力：アナログ出力値を現在の値から屋内温度が屋内目標温度になるように「外気調節フイードバック制御」を行なう。
【０１９４】
２）音声案内出力
例えば、外気調節の場合は音声案内出力をしない。外気全開／全閉制御の場合。「適温ですから暖房を行なわないで外気冷房を行ないます。」
【０１９５】
「（７）ＡＣ停止・最大外気」判断時
【０１９６】
１）空調状態表示、エアコン・外気制御出力
（以降「（７）ＡＣ停止・最大外気」空調範囲表示・制御と称す）
（あ）空調状態表示出力：「（７）ＡＣ停止・最大外気」空調範囲を例えば赤色フリッカー表示（以降の省エネ空調判断で同じ空調方法継続の場合は連続表示）し、その他の空調範囲を例えば灰色表示する。
（い）エアコン制御出力：「エアコン暖房」にＯＦＦ出力し、「エアコン停止」にＯＮ出力し、「エアコン冷房」にＯＦＦ出力する。
（う）外気冷房制御リレー出力：「外気冷房」にＯＮ出力する。
（え）外気調節アナログ出力：アナログ出力値を最大（例えば１００％）にし、「外気調節フイードバック制御」を停止する。
【０１９７】
２）音声案内出力
例えば、「適温ですから冷房運転を行なわないで外気冷房を行ないます。」
【０１９８】
「（８）ＡＣ冷房・最大外気」判断時
【０１９９】
１）空調状態表示、エアコン・外気制御出力
（以降「（８）ＡＣ冷房・最大外気」空調範囲表示・制御と称す）
（あ）空調状態表示出力：「（８）ＡＣ冷房・最大外気」空調範囲を例えば赤色フリッカー表示（以降の省エネ空調判断で同じ空調方法継続の場合は連続表示）し、その他の空調範囲を例えば灰色表示する。
（い）エアコン制御出力：「エアコン暖房」にＯＦＦ出力し、「エアコン停止」にＯＦＦ出力し、「エアコン冷房」にＯＮ出力する。
（う）外気冷房制御リレー出力：「外気冷房」にＯＮ出力する。
（え）外気調節アナログ出力：アナログ出力値を最大（例えば１００％）にし、「外気調節フイードバック制御」を停止する。
【０２００】
２）音声案内出力
例えば、「気温が高いので外気冷房しながら、エアコン冷房運転を行います。」
【０２０１】
「（９）ＡＣ冷房・最小外気」判断時
【０２０２】
１）空調状態表示、エアコン・外気制御出力
（以降「（９）ＡＣ冷房・最小外気」空調範囲表示・制御と称す）
（あ）空調状態表示出力：「（９）ＡＣ冷房・最小外気」空調範囲を例えば赤色フリッカー表示（以降の省エネ空調判断で同じ空調方法継続の場合は連続表示）し、その他の空調範囲を例えば灰色表示する。
（い）エアコン制御出力：「エアコン暖房」にＯＦＦ出力し、「エアコン停止」にＯＦＦ出力し、「エアコン冷房」にＯＮ出力する。
（う）外気冷房制御リレー出力：「外気冷房」にＯＦＦ出力する。
（え）外気調節アナログ出力：アナログ出力値を最小（例えば１５％）にし、「外気調節フイードバック制御」を停止する。
【０２０３】
２）音声案内出力
例えば、「気温が高いので冷房運転をし、外気冷房は行いません。」
【０２０４】
「（２）ＡＣ暖房・最小外気」から「（２）ＡＣ停止・最小外気」への変更判断
【０２０５】
１）空調状態表示、エアコン・外気制御出力
上記「（２）ＡＣ停止・最小外気」空調範囲表示・制御を出力する。
【０２０６】
２）音声案内出力
例えば、「気温が高くなったので、暖房運転を停止しました。湿度が高いので外気冷房は行いません。」
【０２０７】
「（２）ＡＣ停止・最小外気」中「（１）ＡＣ暖房・最小外気」への変更判断
【０２０８】
１）空調状態表示、エアコン・外気制御出力
上記「（１）ＡＣ暖房・最小外気」空調範囲表示・制御を出力する。
【０２０９】
２）音声案内出力
例えば、「気温が低くなったので、暖房運転を行います。」
【０２１０】
「（２）ＡＣ停止・最小外気」中「（３）ＡＣ冷房・最小外気」への変更判断
【０２１１】
１）空調状態表示、エアコン・外気制御出力
上記「（３）ＡＣ冷房・最小外気」空調範囲表示・制御を出力する。
【０２１２】
２）音声案内出力
例えば、「気温が高くなったので冷房運転を行います。外気湿度が高いので外気冷房は行いません。」
【０２１３】
「（３）ＡＣ冷房・最小外気」中「（２）ＡＣ停止・最小外気」への変更判断時
【０２１４】
１）空調状態表示、エアコン・外気制御出力
上記「（２）ＡＣ停止・最小外気」空調範囲表示・制御を出力する。
【０２１５】
２）音声案内出力
例えば、「気温が低くなったので冷房運転を停止します。外気湿度が高いので外気冷房は行いません。」
【０２１６】
「（４）ＡＣ暖房・最小外気」から「（５）ＡＣ停止・外気調節」への変更判断時
【０２１７】
１）空調状態表示、エアコン・外気制御出力
上記「（５）ＡＣ停止・外気調節」空調範囲表示・制御を出力する。
【０２１８】
２）音声案内出力
例えば、外気量調節の場合「気温が高くなったので暖房運転を停止し、外気調節で外気冷房を行ないます。」外気全開／全閉制御の場合「外気温が高いので暖房運転を停止します。」
【０２１９】
「（５）ＡＣ停止・外気調節」から「（４）ＡＣ暖房・最小外気」への変更判断時
【０２２０】
１）空調状態表示、エアコン・外気制御出力
上記「（４）ＡＣ暖房・最小外気」空調範囲表示・制御を出力する。
【０２２１】
２）音声案内出力
例えば、「気温が低くなったので暖房運転を行ないます。」
【０２２２】
「（５）ＡＣ停止・外気調節」から「（６）ＡＣ停止・外気調節」への変更判断時
【０２２３】
１）空調状態表示、エアコン・外気制御出力
上記「（６）ＡＣ停止・外気調節」空調範囲表示・制御を出力する。
【０２２４】
２）音声案内出力
例えば、外気量調節の場合は音声案内を出力しない。外気全開／全閉制御の場合「気温が高くなったので外気冷房を行います。」
【０２２５】
「（６）ＡＣ停止・外気量調節」中から「（５）ＡＣ停止・外気調節」のへの変更判断時
【０２２６】
１）空調状態表示、エアコン・外気制御出力
上記「（５）ＡＣ停止・外気調節」空調範囲表示・制御を出力する。
【０２２７】
２）音声案内出力
例えば、外気量調節の場合音声案内出力をしない。外気全開／全閉制御の場合「気温が低くなったので、外気冷房を停止します。」
【０２２８】
「（６）ＡＣ停止・外気量調節」中から「（７）ＡＣ停止・最大外気」への変更判断時
【０２２９】
１）空調状態表示、エアコン・外気制御出力
上記「（７）ＡＣ停止・最大外気」空調範囲表示・制御を出力する。
【０２３０】
２）音声案内出力
音声案内をしない。
【０２３１】
「（７）ＡＣ停止・最大外気」中から「（６）ＡＣ停止・外気量調節」への変更判断時
【０２３２】
１）空調状態表示、エアコン・外気制御出力
上記「（６）ＡＣ停止・外気調節」空調範囲表示・制御を出力する。
ただし、アナログ出力値を現在の値から屋内温度が屋内目標温度になるように「外気調節フイードバック制御」を行なう。
【０２３３】
２）音声案内出力
音声案内出力をしない。
【０２３４】
「（７）ＡＣ停止・最大外気」中から「（８）ＡＣ冷房・最大外気」への変更判断時
【０２３５】
１）空調状態表示、エアコン・外気制御出力
上記「（８）ＡＣ冷房・最大外気」空調範囲表示・制御を出力する。
【０２３６】
２）音声案内出力
例えば、「気温が高くなったので、外気冷房のまま冷房運転を行ないます。」
【０２３７】
「（８）ＡＣ冷房・最大外気」中から「（７）ＡＣ停止・最大外気」への変更時
【０２３８】
１）空調状態表示、エアコン・外気制御出力
上記「（７）ＡＣ停止・最大外気」空調範囲表示・制御を出力する。
【０２３９】
２）音声案内出力
例えば、「気温が低くなったので、冷房運転を停止し外気冷房を行います。」
【０２４０】
「（８）ＡＣ冷房・最大外気」中から「（９）ＡＣ冷房・最小外気」への変更判断
【０２４１】
１）空調状態表示、エアコン・外気制御出力
上記「（９）ＡＣ冷房・最小外気」空調範囲表示・制御を出力する。
【０２４２】
２）音声案内出力
例えば、「気温が高くなったので冷房運転のまま、外気冷房を中止します。」
【０２４３】
「（９）ＡＣ冷房・最小外気」から「（８）ＡＣ冷房・最大外気」への変更判断時
【０２４４】
１）空調状態表示、エアコン・外気制御出力
上記「（８）ＡＣ冷房・最大外気」空調範囲表示・制御を出力する。
【０２４５】
２）音声案内出力
例えば、「気温が低くなったので、冷房運転のまま外気冷房を行ないます。」
【０２４６】
操作部４１内の確認釦４３を押下することによって、空調状態の赤色フリッカー表示は赤色連続点灯に変え、音声案内出力は停止する。
【実施例５】
【０２４７】
エアコン・熱源や外気冷房設備が自動制御出来ない場合の対応
【０２４８】
本「省エネ空調監視制御装置」が設置されるビルや施設において、エアコンや熱源機器および外気冷房機器が本装置から制御出来ない構造の場合は、省エネ空調判断によって、エアコン、熱源機器の運転停止や外気取入れの開閉が必要な場合には、自動的に制御する代わりに居住者がエアコンや熱源機器の運転停止操作や窓開閉や換気扇操作を手動で行なうように「音声案内出力」によって操作を促す。
【０２４９】
音声案内出力例
【０２５０】
「（７）ＡＣ停止・最大外気」中から「（８）ＡＣ冷房・最大外気」への変更判断時には、例えば、「気温が高くなったので、外気冷房のままエアコンで冷房運転を行なってください。」
【実施例６】
【０２５１】
窓が締切り構造で外気冷房制御が出来ない場合の対応
【０２５２】
本「省エネ空調監視制御装置」が設置されるビルや施設において、窓が締切り状態で外気冷房制御が出来ない構造の場合には、省エネ空調状態を最小外気時の空調範囲「（１）ＡＣ暖房・最小外気」と「（２）ＡＣ停止・最小外気」と「（３）ＡＣ冷房・最小外気」の３つの範囲だけとして省エネ空調判断と、温度表示と、湿度表示と、空調状態表示と、エアコンまたは熱源制御と、音声案内を行う。
【実施例７】
【０２５３】
「省エネ空調監視制御装置」とエアコン機器制御部との一体化への対応
【０２５４】
本、「省エネ空調監視制御装置」をエアコン制御部と一体化し、外気冷房機器と連動することによってエアコン制御部の重複を防ぎ、高機能のエアコンシステムを構築する。
【符号の説明】
【０２５５】
１  省エネ空調監視制御装置
２  省エネ空調監視制御装置表示板  
３  屋外（外気）温度計
４  屋外（外気）湿度計
５  屋内（室内）温度計
６  屋内（室内）湿度計
７  エアコン制御リレー出力（暖房、停止、冷房）
８  外気冷房制御リレー出力（最小外気／最大外気）
９  外気調節アナログ出力
１０  音声案内出力
１１  温度表示部
１２  屋外（外気）温度棒グラフ表示
１３  屋外（外気）温度デジタル表示
１４  屋内（室内）温度棒グラフ表示
１５  屋内（室内）温度デジタル表示
１６  最小外気時空調方法指示域
１７  外気冷房（制御）時空調方法指示域
１８  最小外気時屋内温度上昇値（α値）表示部
１９  α値デジタル表示部
２０  最大外気時屋内温度上昇値（β値）表示部
２１  β値デジタル表示部
２２  屋内目標温度指示域
２３  湿度表示部
２４  屋外（外気）湿度棒グラフ表示
２５  屋外（外気）湿度デジタル表示
２６  屋内（室内）湿度棒グラフ表示
２７  屋内（室内）湿度デジタル表示
２８  快適湿度指示域
２９  屋外湿度下降値（γ値）表示部
３０  γ値デジタル表示部
３１  省エネ空調状態表示部
３２  「（１）ＡＣ暖房・最小外気」範囲表示部
３３  「（２）ＡＣ停止・最小外気」範囲表示部
３４  「（３）ＡＣ冷房・最小外気」範囲表示部
３５  「（４）ＡＣ暖房・最小外気」範囲表示部
３６  「（５）ＡＣ停止・外気調節」範囲表示部
３７  「（６）ＡＣ停止・外気調節」範囲表示部
３８  「（７）ＡＣ停止・最大外気」範囲表示部
３９  「（８）ＡＣ冷房・最大外気」範囲表示部
４０  「（９）ＡＣ冷房・最小外気」範囲表示部
４１  操作部
４２  運転／停止釦
４３  確認釦
４４  音声案内出力部
４５  画面切替釦
４６  データ設定釦
【図１】
2013083402.tif 000003
【図２】
2013083402.tif 000004
【図３】
2013083402.tif 000005
【図４】
2013083402.tif 000006